(57)【要約】【課題】撮影機能付き携帯通信端末の撮影機能を使い方に対応して禁止、許可等を制御する。【解決手段】撮影機能制御装置と通信する通信部と、画像を撮影する撮影部と、通信部から撮影許可を要求する情報を送信し、撮影機能付き携帯通信端末の撮影部を撮影許可する情報を受信したとき撮影部を撮影許可する制御部とを備え、撮影機能付き携帯通信端末は通信部から撮影許可を要求する情報を送信し、撮影機能制御装置は通信部から撮影許可を要求する情報を受信したとき、記憶部に記憶された撮影機能付き携帯通信端末の撮影部を制御する情報を通信部より撮影機能付き携帯通信端末に送信し、通信部から撮影機能付き携帯通信端末の撮影部を撮影許可する情報を受信したとき撮影部を撮影許可する。【選択図】図１
2005260310.tif 000002
【特許請求の範囲】
【請求項１】
撮影機能付き携帯通信端末と通信する通信部と、撮影機能付き携帯通信端末の撮影部を撮影許可する情報を記憶する記憶部と、前記通信部より撮影許可を要求する情報を受信したとき、前記記憶部に記憶された撮影機能付き携帯通信端末の撮影部を撮影許可する情報を前記通信部から送信する制御部とを備える撮影機能制御装置。
【請求項２】
撮影機能制御装置と通信する通信部と、画像を撮影する撮影部と、前記通信部から撮影許可を要求する情報を送信し、撮影機能付き携帯通信端末の撮影部を撮影許可する情報を受信したとき、前記撮影部を撮影許可する制御部とを備える撮影機能付き携帯通信端末。
【請求項３】
撮影機能制御装置と撮影機能付き携帯通信端末により構成される撮影機能付き携帯通信端末の制御システムであって、
前記撮影機能付き携帯通信端末は撮影許可を要求する情報を前記撮影機能制御装置に送信し、
前記撮影機能制御装置は撮影許可を要求する情報を受信したとき、撮影機能付き携帯通信端末の撮影部を撮影許可する情報を送信し、
前記撮影機能付き携帯通信端末は撮影機能付き携帯通信端末の撮影部を撮影許可する情報を受信したとき、撮影が可能となる撮影機能付き携帯通信端末の制御システム。
【請求項４】
撮影機能制御装置と通信する通信部と、画像を撮影する撮影部と、前記通信部から受信した情報に基づいて前記撮影部を制御したとき、撮影機能付き携帯通信端末の撮影部を制御したことを示す情報を前記通信部から送信する制御部とを備える撮影機能付き携帯通信端末。
【請求項５】
撮影機能付き携帯通信端末と通信する第一の通信部と、撮影機能制御装置コントローラと通信する第二の通信部と、前記第一の通信部から撮影機能付き携帯通信端末の撮影部を制御したことを示す情報を受信したとき撮影機能付き携帯通信端末と通信があったことを示す情報を前記第二の通信部から送信する制御部とを備える撮影機能制御装置。
【請求項６】
撮影機能制御装置と通信する通信部と、前記通信部から撮影機能付き携帯通信端末と通信があったことを示す情報を受信したとき前記撮影機能制御装置の通信エリアに存在する撮影機能付き携帯通信端末の数をカウントする制御部とを備える撮影機能制御装置コントローラ。
【請求項７】
撮影機能付き携帯通信端末と、撮影機能制御装置と、撮影機能制御装置コントローラにより構成される撮影機能付き携帯通信端末の制御システムであって、
前記撮影機能付き携帯通信端末は前記撮影機能制御装置から受信した情報に基づいて撮影部を制御したとき撮影部を制御したことを示す情報を前記撮影機能制御装置に送信し、
前記撮影機能制御装置は前記撮影機能付き携帯通信端末から撮影部を制御したことを示す情報を受信したとき撮影機能付き携帯通信端末と通信があったことを示す情報を前記撮影機能制御装置コントローラに送信し、
前記撮影機能制御装置コントローラは前記撮影機能制御装置から撮影機能付き携帯通信端末と通信があったことを示す情報を受信したとき前記撮影機能制御装置の通信エリアに存在する撮影機能付き携帯通信端末の数をカウントする撮影機能付き携帯通信端末の制御システム。
【請求項８】
撮影機能付き携帯通信端末と通信する通信部と、撮影機能付き携帯通信端末の撮影部を有償許可とする情報を記憶する記憶部と、前記記憶部に記憶された撮影機能付き携帯通信端末の撮影部を有償許可とする情報を前記通信部から送信する制御部とを備える撮影機能制御装置。
【請求項９】
撮影機能制御装置と通信する通信部と、画像を撮影する撮影部と、前記通信部から撮影機能付き携帯通信端末の撮影部を有償許可とする情報を受信したときは前記撮影部を有償許可とする制御部とを備える撮影機能付き携帯通信端末。
【請求項１０】
撮影機能付き携帯通信端末と撮影機能制御装置により構成される撮影機能付き携帯通信端末の制御システムであって、
前記撮影機能制御装置は撮影機能付き携帯通信端末の撮影部を有償許可とする情報を送信し、
前記撮影機能付き携帯通信端末は前記撮影機能制御装置から撮影機能付き携帯通信端末の撮影部を有償許可とする情報を受信したとき撮影部を有償許可とする撮影機能付き携帯通信端末の制御システム。
【請求項１１】
撮影機能付き携帯通信端末と通信する第一の通信部と、ＰＯＳ端末と通信する第二の通信部と、撮影機能付き携帯通信端末の撮影部の動作状態を確認する情報を記憶する記憶部と、前記第一の通信部から前記記憶部に記憶された撮影機能付き携帯通信端末の撮影部の動作状態を確認する情報を前記撮影機能付き携帯通信端末に送信し前記第一の通信部から撮影機能付き携帯通信端末の撮影部の動作状態を示す情報を受信し前記第二の通信部から送信する制御部とを備える撮影機能制御装置。
【請求項１２】
撮影機能制御装置と通信する通信部と、画像を撮影する撮影部と、前記通信部から受信した情報に基づいて前記撮影部の動作状態を確認し撮影機能付き携帯通信端末の撮影部の動作状態を示す情報を前記通信部から送信する制御部とを備える撮影機能付き携帯通信端末。
【請求項１３】
撮影機能制御装置と通信する通信部と、撮影機能付き携帯通信端末の撮影部の動作状態を出力する表示部と、前記通信部から撮影機能付き携帯通信端末の撮影部の動作状態を示す情報を受信したとき前記撮影機能制御装置の通信エリアに存在する撮影機能付き携帯通信端末の撮影部の動作状態を出力する制御部とを備えるＰＯＳ端末。
【請求項１４】
撮影機能付き携帯通信端末と撮影機能制御装置とＰＯＳ端末により構成される撮影機能付き携帯通信端末の制御システムであって、
前記撮影機能付き携帯通信端末は撮影部の動作状態を確認し撮影機能付き携帯通信端末の撮影部の動作状態を示す情報を前記撮影機能制御装置に送信し、
前記撮影機能制御装置は前記撮影機能付き携帯通信端末から撮影機能付き携帯通信端末の撮影部の動作状態を示す情報を受信しさらに前記ＰＯＳ端末に送信し、
前記ＰＯＳ端末は前記撮影機能制御装置から撮影機能付き携帯通信端末の撮影部の動作状態を示す情報を受信したとき前記撮影機能制御装置の通信エリアに存在する撮影機能付き携帯通信端末の撮影部の動作状態を出力する撮影機能付き携帯通信端末の制御システム。
【請求項１５】
有償で販売される有償情報と有償情報を識別する有償情報識別コードと前記有償情報に関連する情報を提供する有償情報提供サーバのＵＲＬ情報を掲載している印刷物。
【請求項１６】
撮影機能制御装置と通信する第一の通信部と、有償情報提供サーバと通信する第二の通信部と、画像を撮影する撮影部と、前記撮影部により撮影された画像から有償情報を識別する有償情報識別コードと前記有償情報に関連する情報を提供する有償情報提供サーバのＵＲＬ情報を抽出する抽出部と、撮影機能付き携帯通信端末の撮影部を有償許可とする情報を前記第一の通信部から受信したあと前記撮影部を有償許可とし前記撮影部により撮影された画像から有償情報を識別する有償情報識別コードと前記有償情報に関連する情報を提供する有償情報提供サーバのＵＲＬ情報を抽出し前記第二の通信部から前記有償情報提供サーバに前記有償情報識別コードを送信し前記有償情報に関連する情報を前記第二の通信部から受信する制御部とを備える撮影機能付き携帯通信端末。
【請求項１７】
撮影機能付き携帯通信端末と通信する通信部と、少なくとも有償情報に関連する情報を有償情報を識別する有償情報識別コードと関連付けて記憶する記憶部と、有償情報識別コードを検索キーとして前記記憶部に記憶された有償情報に関連する情報を検索する検索部と、前記通信部から有償情報識別コードを受信し前記検索部により有償情報識別コードと関連付けられた有償情報に関連する情報を検索し前記通信部により送信する制御部とを備える有償情報提供サーバ。
【請求項１８】
印刷物と、撮影機能付き携帯通信端末と、撮影機能制御装置と、有償情報提供サーバにより構成される撮影機能付き携帯通信端末の制御システムであって、
前記印刷物は、有償で販売される有償情報と有償情報を識別する有償情報識別コードと前記有償情報に関連する情報を提供する有償情報提供サーバのＵＲＬ情報を掲載し、
前記撮影機能制御装置は、前記撮影機能付き携帯通信端末に撮影機能付き携帯通信端末の撮影部を有償許可とする情報を送信し、
前記撮影機能付き携帯通信端末は撮影機能付き携帯通信端末の撮影部を有償許可とする情報を受信したあと、撮影部により撮影された画像から有償情報を識別する有償情報識別コードと前記有償情報に関連する情報を提供する有償情報提供サーバのＵＲＬ情報を抽出し前記有償情報提供サーバに前記有償情報識別コードを送信し、
前記有償情報提供サーバは前記撮影機能付き携帯通信端末から前記有償情報識別コードを受信し前記有償情報識別コードを検索キーとして有償情報に関連する情報を検索し前記撮影機能付き携帯通信端末に送信し、
前記撮影機能付き携帯通信端末は前記有償情報に関連する情報を受信する撮影機能付き携帯通信端末の制御システム。
【請求項１９】
有償情報に関連する情報が有償情報の著作権者と値段である請求項１８に記載の撮影機能付き携帯通信端末の制御システム。
【請求項２０】
記事情報と前記記事情報に関連する情報を提供する記事情報提供サーバのＵＲＬ情報を掲載している印刷物。
【請求項２１】
記事情報提供サーバと通信する通信部と、画像を撮影する撮影部と、前記撮影部により撮影された画像から前記記事情報に関連する情報を提供する記事情報提供サーバのＵＲＬ情報を抽出する抽出部と、前記撮影部により撮影された画像をＵＲＬ情報が示す記事情報提供サーバに前記通信部より送信し前記記事情報に関連する情報を受信する制御部とを備える撮影機能付き携帯通信端末。
【請求項２２】
撮影機能付き携帯通信端末と通信する通信部と、少なくとも記事情報のテキスト情報を記事情報を識別する記事情報識別コードと関連付けて記憶する第一の記憶部と、記事情報に関連する情報を記事情報を識別する記事情報識別コードと関連付けて記憶する第二の記憶部、画像からテキスト情報を抽出する抽出部と、前記抽出部が抽出したテキスト情報を検索キーとして前記第一の記憶部に記憶された記事情報識別コードを検索する第一の検索部と、前記第一の検索部が検索した記事情報識別コードを検索キーとして前記第二の記憶部に記憶された記事情報の関連情報を検索する第二の検索部と、前記通信部から画像を受信し前記抽出部により前記画像からテキスト情報を抽出し前記第一の検索部により前記テキスト情報を含む記事情報の記事情報識別コードを検索し前記第二の検索部により前記記事情報識別コードに関連付けられた記事情報に関連する情報を検索し前記通信部より前記記事情報に関連する情報を送信する制御部とを備える記事情報提供サーバ。
【請求項２３】
印刷物と、撮影機能制御装置と、記事情報提供サーバにより構成される撮影機能付き携帯通信端末の制御システムであって、
前記印刷物は記事情報と前記記事情報に関連する情報を提供する記事情報提供サーバのＵＲＬ情報を掲載しており、
前記撮影機能付き携帯通信端末は撮影部により撮影された画像を前記記事情報提供サーバに送信し、
前記記事情報提供サーバは前記撮影機能付き携帯通信端末から画像を受信し前記画像からテキスト情報を抽出し前記テキスト情報を含む記事情報の記事情報識別コードを検索し前記記事情報識別コードに関連付けられた記事情報に関連する情報を検索し前記通信部より送信し、
前記撮影機能付き携帯通信端末は前記記事情報提供サーバから前記記事情報に関連する情報を受信する撮影機能付き携帯通信端末の制御システム。
【請求項２４】
検索キーを入力し該検索キーを含む情報を出力する検索システムの検索方法であって、複数の検索キーを入力し、前記検索キーが入力された順番に従い検索する検索システムの検索方法。
【請求項２５】
検索キーを入力し該検索キーを含む情報を出力する検索システムの検索方法であって、複数の検索キーを入力し、前記検索キーの間の文字数を設定して検索する検索システムの検索方法。
【請求項２６】
モニター調査を行うための調査票であって、調査情報と調査情報を識別する調査情報コードを含む調査票。
【請求項２７】
モニター調査サーバと通信する通信部と、画像を撮影する撮影部と、前記通信部より調査票を受信し、調査情報コードと前記撮影部により撮影した画像を組み合わせて前記通信部より送信する制御部とを備える撮影機能付き携帯通信端末。
【請求項２８】
撮影機能付き携帯通信端末と通信する通信部と、調査情報と前記調査情報を識別する調査情報コードを関連付けて記憶する第一の記憶部と、前記調査情報コードと画像を関連付けて記憶する第二の記憶部と、前記画像からテキスト情報を抽出する抽出部と、前記第一の記憶部から調査情報を検索し前記通信部より調査情報を送信し前記通信部より調査情報コードと画像を受信し前記第二の記憶部に調査情報コードと画像を関連付けて記憶し前記第二の記憶部に記憶している画像から前記抽出部によりテキスト情報を抽出する制御部とを備えるモニター調査サーバ。
【請求項２９】
調査票と撮影機能付き携帯通信端末とモニター調査サーバにより構成されるモニター調査システムであって、
前記調査票は調査情報と調査情報を識別する調査情報コードを含み、
前記モニター調査サーバは前記撮影機能付き携帯通信端末に前記調査票を送信し、前記撮影機能付き携帯通信端末は前記調査票を受信し、前記撮影機能付き携帯通信端末は前記調査情報コードと画像を組み合わせて送信し、前記モニター調査サーバは前記撮影機能付き携帯通信端末から調査情報コードと画像を受信し調査情報コードと画像を関連付けて記憶し画像からテキスト情報を抽出するモニター調査システム。
【請求項３０】
モニター調査サーバと通信する通信部と、画像を撮影する撮影部と、前記撮影部により撮影した画像に評価情報を付与する付与部と、前記通信部より調査票を受信し、調査情報コードと前記撮影部により撮影した画像と前記付与部により付与した評価情報を組み合わせて前記通信部より送信する制御部とを備える撮影機能付き携帯通信端末。
【請求項３１】
撮影機能付き携帯通信端末と通信する通信部と、調査情報と前記調査情報を識別する調査情報コードを関連付けて記憶する第一の記憶部と、調査情報を識別する調査情報コードと画像と評価情報を関連付けて記憶する第二の記憶部と、前記第二の記憶部に記憶している調査情報コードと画像と評価情報を評価情報毎に分類する分類部と、前記第一の記憶部から調査情報を検索し前記通信部より調査情報を送信し前記通信部より調査情報コードと画像と評価情報を受信し前記第二の記憶部に調査情報コードと画像と評価情報を関連付けて記憶し調査情報コードと画像と評価情報を評価情報毎に分類する制御部とを備えるモニター調査サーバ。
【請求項３２】
調査票と撮影機能付き携帯通信端末とモニター調査サーバにより構成されるモニター調査システムであって、
前記調査票は調査情報と調査情報を識別する調査情報コードを含み、
前記モニター調査サーバは前記撮影機能付き携帯通信端末に前記調査票を送信し、
前記撮影機能付き携帯通信端末は前記調査票を受信し、
前記撮影機能付き携帯通信端末はと画像と評価情報を入力し、
前記撮影機能付き携帯通信端末は調査情報コードと画像と評価情報を組み合わせて前記モニター調査サーバに送信し、
前記モニター調査サーバは前記撮影機能付き携帯通信端末から調査情報コードと画像と評価情報を受信し調査情報コードと画像と評価情報を関連付けて記憶し調査情報コードと画像と評価情報を評価情報毎に分類するモニター調査システム。
【発明の詳細な説明】
【技術分野】
【０００１】
本発明は、撮影機能付き携帯通信端末の制御システムおよびモニター調査システムに関するものである。
【０００２】
なお、本明細書において撮影機能付き携帯通信端末とは、少なくとも撮影機能と通信機能を有する装置であり、カメラ付き携帯電話・カメラ付きＰＨＳ（登録商標）・撮影機能付きの携帯情報端末（いわゆるＰＡＤ）、通信機能付きのデジタルカメラ、通信機能付きのデジタルビデオカメラ、撮影機能付きのパソコンなどをいう。
【背景技術】
【０００３】
近年、撮影機能と通信機能を有する装置撮影としてカメラ付き携帯電話が普及しつつあり、いろいろな場面で使用されるようになっている。
【０００４】
しかし、機能向上により便利になった反面、痴漢行為の道具に使うなど法律に抵触するような使い方や書店において有償情報を撮影して持ち帰るなど著作権侵害となるような使われ方される場合がある。
【０００５】
従来のカメラ付き携帯電話は、撮影が実行されたことを示すブザー音を発生するが撮影を禁止する方法および社会的設備も整備されておらず、使用者のモラルに頼っていた。
【０００６】
このような使用を制限できる映像取得制限システムとして、劇場や映画館などの特定エリアにおいて、撮影禁止信号を送信する撮影禁止信号送信装置と、撮影禁止信号の到来監視を行い撮影禁止信号が到来しているときはカメラ部が映像データの出力を停止する携帯型テレビ電話端末装置により構成され、撮影禁止信号送信装置はある特定エリアに対し撮影禁止信号を送信し、携帯型テレビ電話端末装置は撮影禁止信号の到来監視を行い撮影禁止信号が到来しているときはカメラ部が映像データの出力を停止する映像取得制限システムが公開されている。（例えば特許文献１参照）。
【０００７】
また、このような使用を制限できる撮影装置として、撮影禁止モードを設け、撮影禁止モードにおいては撮影禁止状態であることを示すメッセージを画面上に表示する撮影装置が公開されている。（例えば特許文献２参照）。
【０００８】
また、有償情報の販売システムとしては、ネットワークを介して携帯電話の着メロデータを販売する方法として、ネットワーク上に配信サーバを設け、予め登録された携帯電話からのアクセスを受けて着メロデータと曲名リストを配信する方法が公開されている。（例えば特許文献３参照）。
【特許文献１】特開２０００−１５２２１７号公報（第４頁、図１）
【特許文献２】特開２００３−８７６３７号公報（第２頁、図１）
【特許文献３】特開２００２−５５６８５号公報（第３頁、図１）
【発明の開示】
【発明が解決しようとする課題】
【０００９】
しかし、従来の映像取得制限システムは、撮影機能付き携帯通信端末の撮影機能を一時的に停止させるものであり、その機能を有効に活用しようとするものではなかった。
【００１０】
時刻と場所を限定する場合でも、個人が所有する装置と通信し、その機能の一部を停止させることは不正アクセスと見なされる可能性もあり、一方的に禁止するのは難しい。
【００１１】
また、従来の有償情報の販売システムは、有償情報はネットワーク上のサーバに記憶されておりどの情報をだれに販売したかを的確につかめた。撮影機能付き携帯通信端末による撮影の場合、有償情報は個人の方にあり、どの有償情報が撮影されたのかを特定できないという課題があった。
【００１２】
撮影機能と通信機能の組合せは、非常に便利であり今後さらに発展すると思われる。特にネットワークを利用したカタログショッピングでは、カタログに商品を識別する２次元コードを印刷し、カメラ付き携帯電話の２次元コード読取り機能を使用して、当該商品の２次元コードを読取ることで商品発注を行うようになっている。
【００１３】
また、はがきや電子メールなどの媒体を使っていたモニター調査やアンケート調査においても撮影機能付き携帯通信端末の撮影機能を使用した方法が使用されている。予め登録している会員に対し、例えば朝食のメニューを調査するためのアンケート調査票をメール発信し、会員が朝食の品目を撮影し、調査会社に返信する手順で調査する方法が行われている。会員には対価として、クーポンなどを配布している。この様に撮影機能付き携帯通信端末の撮影機能を使用した方法は、記入作業が少なく簡便であることから、今後モニター調査やアンケート調査の主流になる可能性がある。
【００１４】
本発明は、撮影機能付き携帯通信端末の撮影機能を使い方に対応して、禁止／許可／有償許可を制御できる撮影機能付き携帯通信端末の制御システムを提供することを目的とする。
【００１５】
また、撮影機能付き携帯通信端末の撮影機能を使用した有償情報販売システムにおける著作権管理方法と、モニター調査やアンケート調査におけるデータ分析方法を提供することを目的とする。
【課題を解決するための手段】
【００１６】
上記課題を解決するために、本発明の撮影機能制御装置は、撮影機能付き携帯通信端末と通信する通信部と、撮影機能付き携帯通信端末の撮影部を撮影許可する情報を記憶する記憶部と、前記通信部より撮影許可を要求する情報を受信したとき、前記記憶部に記憶された撮影機能付き携帯通信端末の撮影部を撮影許可する情報を前記通信部から送信する制御部とを備える。
【００１７】
この構成により、撮影機能制御装置は撮影機能付き携帯通信端末の要求に従い撮影機能付き携帯通信端末の撮影部を撮影許可する情報を撮影機能付き携帯通信端末に送信することができる。
【００１８】
また、本発明の撮影機能付き携帯通信端末は、撮影機能制御装置と通信する通信部と、画像を撮影する撮影部と、前記通信部から撮影許可を要求する情報を送信し、撮影機能付き携帯通信端末の撮影部を撮影許可する情報を受信したとき、前記撮影部を撮影許可する制御部とを備える。
【００１９】
この構成により、撮影機能付き携帯通信端末は、撮影機能制御装置の情報に基づき撮影部を制御することができる。
【００２０】
また、本発明の撮影機能付き携帯通信端末の制御システムは、撮影機能制御装置と撮影機能付き携帯通信端末により構成される撮影機能付き携帯通信端末の制御システムであって、
前記撮影機能付き携帯通信端末は撮影許可を要求する情報を前記撮影機能制御装置に送信し、
前記撮影機能制御装置は撮影許可を要求する情報を受信したとき、撮影機能付き携帯通信端末の撮影部を撮影許可する情報を送信し、
前記撮影機能付き携帯通信端末は撮影機能付き携帯通信端末の撮影部を撮影許可する情報を受信したとき、撮影が可能となる。
【００２１】
この構成により、撮影機能付き携帯通信端末の制御システムは撮影機能付き携帯通信端末の要求に従い撮影部を制御することができる。
【００２２】
また、本発明の撮影機能付き携帯通信端末は、撮影機能制御装置と通信する通信部と、画像を撮影する撮影部と、前記通信部から受信した情報に基づいて前記撮影部を制御したとき、撮影機能付き携帯通信端末の撮影部を制御したことを示す情報を前記通信部から送信する制御部とを備える。
【００２３】
この構成により、撮影機能付き携帯通信端末は撮影部を制御したとき撮影機能付き携帯通信端末の撮影部を制御したことを示す情報を撮影機能制御装置に送信することができる。
【００２４】
また、本発明の撮影機能制御装置は、撮影機能付き携帯通信端末と通信する第一の通信部と、撮影機能制御装置コントローラと通信する第二の通信部と、前記第一の通信部から撮影機能付き携帯通信端末の撮影部を制御したことを示す情報を受信したとき撮影機能付き携帯通信端末と通信があったことを示す情報を前記第二の通信部から送信する制御部とを備える。
【００２５】
この構成により、撮影機能制御装置は撮影機能付き携帯通信端末の撮影部を制御したことを示す情報を受信したとき、撮影機能付き携帯通信端末と通信があったことを示す情報を撮影機能制御装置コントローラに送信することができる。
【００２６】
また、本発明の撮影機能制御装置コントローラは、撮影機能制御装置と通信する通信部と、前記通信部から撮影機能付き携帯通信端末と通信があったことを示す情報を受信したとき前記撮影機能制御装置の通信エリアに存在する撮影機能付き携帯通信端末の数をカウントする制御部とを備える。
【００２７】
この構成により、撮影機能制御装置コントローラは撮影機能付き携帯通信端末と通信があったことを示す情報を受信したとき、撮影機能制御装置の通信エリアに存在する撮影機能付き携帯通信端末の数をカウントすることができる。
【００２８】
また、本発明の撮影機能付き携帯通信端末の制御システムは、撮影機能付き携帯通信端末と、撮影機能制御装置と、撮影機能制御装置コントローラにより構成される撮影機能付き携帯通信端末の制御システムであって、
前記撮影機能付き携帯通信端末は前記撮影機能制御装置から受信した情報に基づいて撮影部を制御したとき撮影部を制御したことを示す情報を前記撮影機能制御装置に送信し、
前記撮影機能制御装置は前記撮影機能付き携帯通信端末から撮影部を制御したことを示す情報を受信したとき撮影機能付き携帯通信端末と通信があったことを示す情報を前記撮影機能制御装置コントローラに送信し、
前記撮影機能制御装置コントローラは前記撮影機能制御装置から撮影機能付き携帯通信端末と通信があったことを示す情報を受信したとき前記撮影機能制御装置の通信エリアに存在する撮影機能付き携帯通信端末の数をカウントする。
【００２９】
この構成により、撮影機能付き携帯通信端末の制御システムは撮影機能制御装置の通信エリアに存在する撮影部を制御した撮影機能付き携帯通信端末の数をカウントし、撮影機能制御装置コントローラに表示することができる。
【００３０】
また、本発明の撮影機能制御装置は、撮影機能付き携帯通信端末と通信する通信部と、撮影機能付き携帯通信端末の撮影部を有償許可とする情報を記憶する記憶部と、前記記憶部に記憶された撮影機能付き携帯通信端末の撮影部を有償許可とする情報を前記通信部から送信する制御部とを備える。
【００３１】
この構成により、撮影機能制御装置は撮影機能付き携帯通信端末の撮影部を有償許可とする情報を撮影機能付き携帯通信端末に送信することができる。
【００３２】
また、本発明の撮影機能付き携帯通信端末は、撮影機能制御装置と通信する通信部と、画像を撮影する撮影部と、前記通信部から撮影機能付き携帯通信端末の撮影部を有償許可とする情報を受信したときは前記撮影部を有償許可とする制御部とを備える。
【００３３】
この構成により、撮影機能付き携帯通信端末は外部からの情報に基づき撮影部を有償許可とすることができる。
【００３４】
また、本発明の撮影機能付き携帯通信端末の制御システムは、撮影機能付き携帯通信端末と撮影機能制御装置により構成される撮影機能付き携帯通信端末の制御システムであって、
前記撮影機能制御装置は撮影機能付き携帯通信端末の撮影部を有償許可とする情報を送信し、
前記撮影機能付き携帯通信端末は前記撮影機能制御装置から撮影機能付き携帯通信端末の撮影部を有償許可とする情報を受信したとき撮影部を有償許可とする。
【００３５】
この構成により、撮影機能付き携帯通信端末の制御システムは撮影機能付き携帯通信端末の撮影部を有償許可とすることができる。
【００３６】
また、本発明の撮影機能制御装置は、撮影機能付き携帯通信端末と通信する第一の通信部と、ＰＯＳ端末と通信する第二の通信部と、撮影機能付き携帯通信端末の撮影部の動作状態を確認する情報を記憶する記憶部と、前記第一の通信部から前記記憶部に記憶された撮影機能付き携帯通信端末の撮影部の動作状態を確認する情報を前記撮影機能付き携帯通信端末に送信し前記第一の通信部から撮影機能付き携帯通信端末の撮影部の動作状態を示す情報を受信し前記第二の通信部から送信する制御部とを備える。
【００３７】
この構成により、撮影機能制御装置は撮影機能付き携帯通信端末に撮影機能付き携帯通信端末の撮影部の動作状態を確認する情報を送信し、撮影機能付き携帯通信端末の撮影部の動作状態を示す情報を受信し、さらに撮影機能付き携帯通信端末の撮影部の動作状態を示す情報をＰＯＳ端末に送信することができる。
【００３８】
また、本発明の撮影機能付き携帯通信端末は、撮影機能制御装置と通信する通信部と、画像を撮影する撮影部と、前記通信部から受信した情報に基づいて前記撮影部の動作状態を確認し撮影機能付き携帯通信端末の撮影部の動作状態を示す情報を前記通信部から送信する制御部とを備える。
【００３９】
この構成により、撮影機能付き携帯通信端末は外部からの情報に基づき撮影部の動作状態を確認し撮影機能付き携帯通信端末の撮影部の動作状態を示す情報を前記通信部から送信することができる。
【００４０】
また、本発明のＰＯＳ端末は、撮影機能制御装置と通信する通信部と、撮影機能付き携帯通信端末の撮影部の動作状態を出力する表示部と、前記通信部から撮影機能付き携帯通信端末の撮影部の動作状態を示す情報を受信したとき前記撮影機能制御装置の通信エリアに存在する撮影機能付き携帯通信端末の撮影部の動作状態を出力する制御部とを備える。
【００４１】
この構成により、ＰＯＳ端末は撮影機能制御装置の通信エリアに存在する撮影機能付き携帯通信端末の撮影部の動作状態を出力することができる。
【００４２】
また、本発明の撮影機能付き携帯通信端末の制御システムは、撮影機能付き携帯通信端末と撮影機能制御装置とＰＯＳ端末により構成される撮影機能付き携帯通信端末の制御システムであって、
前記撮影機能付き携帯通信端末は撮影部の動作状態を確認し撮影機能付き携帯通信端末の撮影部の動作状態を示す情報を前記撮影機能制御装置に送信し、
前記撮影機能制御装置は前記撮影機能付き携帯通信端末から撮影機能付き携帯通信端末の撮影部の動作状態を示す情報を受信しさらに前記ＰＯＳ端末に送信し、
前記ＰＯＳ端末は前記撮影機能制御装置から撮影機能付き携帯通信端末の撮影部の動作状態を示す情報を受信したとき前記撮影機能制御装置の通信エリアに存在する撮影機能付き携帯通信端末の撮影部の動作状態を出力する。
【００４３】
この構成により、撮影機能付き携帯通信端末の制御システムは、撮影機能制御装置の通信エリアに存在する撮影機能付き携帯通信端末の撮影部の動作状態をＰＯＳ端末に出力することができる。
【００４４】
また、本発明の印刷物は、有償で販売される有償情報と有償情報を識別する有償情報識別コードと前記有償情報に関連する情報を提供する有償情報提供サーバのＵＲＬ情報を掲載している。
【００４５】
この構成により、印刷物は有償情報と有償情報提供サーバのＵＲＬ情報を提供することができる。
【００４６】
また、本発明の撮影機能付き携帯通信端末は、撮影機能制御装置と通信する第一の通信部と、有償情報提供サーバと通信する第二の通信部と、画像を撮影する撮影部と、前記撮影部により撮影された画像から有償情報を識別する有償情報識別コードと前記有償情報に関連する情報を提供する有償情報提供サーバのＵＲＬ情報を抽出する抽出部と、撮影機能付き携帯通信端末の撮影部を有償許可とする情報を前記第一の通信部から受信したあと前記撮影部を有償許可とし前記撮影部により撮影された画像から有償情報を識別する有償情報識別コードと前記有償情報に関連する情報を提供する有償情報提供サーバのＵＲＬ情報を抽出し前記第二の通信部から前記有償情報提供サーバに前記有償情報識別コードを送信し前記有償情報に関連する情報を前記第二の通信部から受信する制御部とを備える。
【００４７】
この構成により、撮影機能付き携帯通信端末は有償情報提供サーバに有償情報識別コードを送信し、有償情報に関連する情報を受信することができる。
【００４８】
また、本発明の有償情報提供サーバは、撮影機能付き携帯通信端末と通信する通信部と、少なくとも有償情報に関連する情報を有償情報を識別する有償情報識別コードと関連付けて記憶する記憶部と、有償情報識別コードを検索キーとして前記記憶部に記憶された有償情報に関連する情報を検索する検索部と、前記通信部から有償情報識別コードを受信し前記検索部により有償情報識別コードと関連付けられた有償情報に関連する情報を検索し前記通信部により送信する制御部とを備える。
【００４９】
この構成により、有償情報提供サーバは有償情報識別コードを検索キーとして有償情報に関連する情報を検索し、撮影機能付き携帯通信端末に送信することができる。
【００５０】
また、本発明の撮影機能付き携帯通信端末の制御システムは、印刷物と、撮影機能付き携帯通信端末と、撮影機能制御装置と、有償情報提供サーバにより構成される撮影機能付き携帯通信端末の制御システムであって、
前記印刷物は、有償で販売される有償情報と有償情報を識別する有償情報識別コードと前記有償情報に関連する情報を提供する有償情報提供サーバのＵＲＬ情報を掲載し、
前記撮影機能制御装置は、前記撮影機能付き携帯通信端末に撮影機能付き携帯通信端末の撮影部を有償許可とする情報を送信し、
前記撮影機能付き携帯通信端末は撮影機能付き携帯通信端末の撮影部を有償許可とする情報を受信したあと、撮影部により撮影された画像から有償情報を識別する有償情報識別コードと前記有償情報に関連する情報を提供する有償情報提供サーバのＵＲＬ情報を抽出し前記有償情報提供サーバに前記有償情報識別コードを送信し、
前記有償情報提供サーバは前記撮影機能付き携帯通信端末から前記有償情報識別コードを受信し前記有償情報識別コードを検索キーとして有償情報に関連する情報を検索し前記撮影機能付き携帯通信端末に送信し、
前記撮影機能付き携帯通信端末は前記有償情報に関連する情報を受信する。
【００５１】
この構成により、撮影機能付き携帯通信端末の制御システムは撮影機能制御装置の通信エリアに存在する撮影機能付き携帯通信端末に有償情報に関連する情報を表示することができる。
【００５２】
また、本発明の撮影機能付き携帯通信端末の制御システムは、有償情報に関連する情報が有償情報の著作権者と値段である。
【００５３】
この構成により、撮影機能付き携帯通信端末の制御システムは、撮影機能制御装置の通信エリアに存在する撮影機能付き携帯通信端末に有償情報に関連する情報として有償情報の著作権者と値段を表示することができる。
【００５４】
また、本発明の印刷物は、記事情報と前記記事情報に関連する情報を提供する記事情報提供サーバのＵＲＬ情報を掲載している。
【００５５】
この構成により、印刷物は記事情報と記事情報提供サーバのＵＲＬ情報を提供することができる。
【００５６】
また、本発明の撮影機能付き携帯通信端末は、記事情報提供サーバと通信する通信部と、画像を撮影する撮影部と、前記撮影部により撮影された画像から前記記事情報に関連する情報を提供する記事情報提供サーバのＵＲＬ情報を抽出する抽出部と、前記撮影部により撮影された画像をＵＲＬ情報が示す記事情報提供サーバに前記通信部より送信し前記記事情報に関連する情報を受信する制御部とを備える。
【００５７】
この構成により、撮影機能付き携帯通信端末は撮影部により撮影された画像を記事情報提供サーバに送信し記事情報に関連する情報を受信することができる。
【００５８】
また、本発明の記事情報提供サーバは、撮影機能付き携帯通信端末と通信する通信部と、少なくとも記事情報のテキスト情報を記事情報を識別する記事情報識別コードと関連付けて記憶する第一の記憶部と、記事情報に関連する情報を記事情報を識別する記事情報識別コードと関連付けて記憶する第二の記憶部、画像からテキスト情報を抽出する抽出部と、前記抽出部が抽出したテキスト情報を検索キーとして前記第一の記憶部に記憶された記事情報識別コードを検索する第一の検索部と、前記第一の検索部が検索した記事情報識別コードを検索キーとして前記第二の記憶部に記憶された記事情報の関連情報を検索する第二の検索部と、前記通信部から画像を受信し前記抽出部により前記画像からテキスト情報を抽出し前記第一の検索部により前記テキスト情報を含む記事情報の記事情報識別コードを検索し前記第二の検索部により前記記事情報識別コードに関連付けられた記事情報に関連する情報を検索し前記通信部より前記記事情報に関連する情報を送信する制御部とを備える。
【００５９】
この構成により、記事情報提供サーバは撮影機能付き携帯通信端末から画像を受信し、該画像に対応する記事情報に関連する情報を送信することができる。
【００６０】
また、本発明の撮影機能付き携帯通信端末の制御システムは、印刷物と、撮影機能制御装置と、記事情報提供サーバにより構成される撮影機能付き携帯通信端末の制御システムであって、
前記印刷物は記事情報と前記記事情報に関連する情報を提供する記事情報提供サーバのＵＲＬ情報を掲載しており、
前記撮影機能付き携帯通信端末は撮影部により撮影された画像を前記記事情報提供サーバに送信し、
前記記事情報提供サーバは前記撮影機能付き携帯通信端末から画像を受信し前記画像からテキスト情報を抽出し前記テキスト情報を含む記事情報の記事情報識別コードを検索し前記記事情報識別コードに関連付けられた記事情報に関連する情報を検索し前記通信部より送信し、
前記撮影機能付き携帯通信端末は前記記事情報提供サーバから前記記事情報に関連する情報を受信する。
【００６１】
この構成により、撮影機能付き携帯通信端末の制御システムは撮影機能付き携帯通信端末に記事情報に関連する情報を表示することができる。
【００６２】
また、本発明の検索システムの検索方法は検索キーを入力し該検索キーを含む情報を出力する検索システムの検索方法であって、複数の検索キーを入力し、前記検索キーが入力された順番に従い検索する。
【００６３】
この構成により、検索システムの検索方法は検索キーの数や語数が少ない場合でもヒット率を向上させることができる。
【００６４】
また、本発明の検索システムの検索方法は検索キーを入力し該検索キーを含む情報を出力する検索システムの検索方法であって、複数の検索キーを入力し、前記検索キーの間の文字数を設定して検索する。
【００６５】
この構成により、検索システムの検索方法は検索キーの数が少ない場合でもヒット率を向上させることができる。
【００６６】
また、本発明の調査票は、モニター調査を行うための調査票であって、調査情報と調査情報を識別する調査情報コードを含む。
【００６７】
この構成により、調査票は調査情報コードと調査情報を提供することができる。
【００６８】
また、本発明の撮影機能付き携帯通信端末は、モニター調査サーバと通信する通信部と、画像を撮影する撮影部と、前記通信部より調査票を受信し、調査情報コードと前記撮影部により撮影した画像を組み合わせて前記通信部より送信する制御部とを備える。
【００６９】
この構成により、撮影機能付き携帯通信端末は調査情報コードと画像を組み合わせてモニター調査サーバに送信することができる。
【００７０】
また、本発明のモニター調査サーバは、撮影機能付き携帯通信端末と通信する通信部と、調査情報と前記調査情報を識別する調査情報コードを関連付けて記憶する第一の記憶部と、前記調査情報コードと画像を関連付けて記憶する第二の記憶部と、前記画像からテキスト情報を抽出する抽出部と、前記第一の記憶部から調査情報を検索し前記通信部より調査情報を送信し前記通信部より調査情報コードと画像を受信し前記第二の記憶部に調査情報コードと画像を関連付けて記憶し前記第二の記憶部に記憶している画像から前記抽出部によりテキスト情報を抽出する制御部とを備える。
【００７１】
この構成により、モニター調査サーバは画像からテキスト情報を抽出することができる。
【００７２】
また、本発明のモニター調査システムは、調査票と撮影機能付き携帯通信端末とモニター調査サーバにより構成されるモニター調査システムであって、
前記調査票は調査情報と調査情報を識別する調査情報コードを含み、
前記モニター調査サーバは前記撮影機能付き携帯通信端末に前記調査票を送信し、前記撮影機能付き携帯通信端末は前記調査票を受信し、前記撮影機能付き携帯通信端末は前記調査情報コードと画像を組み合わせて送信し、前記モニター調査サーバは前記撮影機能付き携帯通信端末から調査情報コードと画像を受信し調査情報コードと画像を関連付けて記憶し画像からテキスト情報を抽出する。
【００７３】
この構成により、モニター調査システムは撮影機能付き携帯通信端末により撮影した画像と調査情報コードを関連付けて記憶するとともに画像からテキスト情報を抽出することができる。
【００７４】
また、本発明の撮影機能付き携帯通信端末は、モニター調査サーバと通信する通信部と、画像を撮影する撮影部と、前記撮影部により撮影した画像に評価情報を付与する付与部と、前記通信部より調査票を受信し、調査情報コードと前記撮影部により撮影した画像と前記付与部により付与した評価情報を組み合わせて前記通信部より送信する制御部とを備える。
【００７５】
この構成により、撮影機能付き携帯通信端末は画像と評価情報を組み合わせて送信することができる。
【００７６】
また、本発明のモニター調査サーバは、撮影機能付き携帯通信端末と通信する通信部と、調査情報と前記調査情報を識別する調査情報コードを関連付けて記憶する第一の記憶部と、調査情報を識別する調査情報コードと画像と評価情報を関連付けて記憶する第二の記憶部と、前記第二の記憶部に記憶している調査情報コードと画像と評価情報を評価情報毎に分類する分類部と、前記第一の記憶部から調査情報を検索し前記通信部より調査情報を送信し前記通信部より調査情報コードと画像と評価情報を受信し前記第二の記憶部に調査情報コードと画像と評価情報を関連付けて記憶し調査情報コードと画像と評価情報を評価情報毎に分類する制御部とを備える。
【００７７】
この構成により、モニター調査サーバは調査情報コードと画像と評価情報を関連付けて記憶するとともに調査情報コードと画像と評価情報を評価情報毎に分類することができる。
【００７８】
また、本発明のモニター調査システムは、調査票と撮影機能付き携帯通信端末とモニター調査サーバにより構成されるモニター調査システムであって、
前記調査票は調査情報と調査情報を識別する調査情報コードを含み、
前記モニター調査サーバは前記撮影機能付き携帯通信端末に前記調査票を送信し、
前記撮影機能付き携帯通信端末は前記調査票を受信し、
前記撮影機能付き携帯通信端末はと画像と評価情報を入力し、
前記撮影機能付き携帯通信端末は調査情報コードと画像と評価情報を組み合わせて前記モニター調査サーバに送信し、
前記モニター調査サーバは前記撮影機能付き携帯通信端末から調査情報コードと画像と評価情報を受信し調査情報コードと画像と評価情報を関連付けて記憶し調査情報コードと画像と評価情報を評価情報毎に分類する。
【００７９】
この構成により、モニター調査システムは撮影機能付き携帯通信端末により撮影した画像と調査情報コードと評価情報を関連付けて記憶するとともに調査情報コードと画像と評価情報を評価情報毎に分類することができる。
【発明の効果】
【００８０】
以上のように、本発明の撮影機能付き携帯通信端末の制御システムは、撮影機能付き携帯通信端末の撮影部を撮影禁止／有償許可に制御することができる。
【００８１】
また、本発明の撮影機能付き携帯通信端末の制御システムは、撮影機能付き携帯通信端末の撮影部により有償情報を撮影しそれらを販売することができる。さらに、印刷物などの記事情報に関連する情報を提供することができる。
【００８２】
また、本発明のモニター調査システムは、撮影機能付き携帯通信端末の撮影部により撮影した画像に基づきモニター調査を行い、分析作業を自動化することで調査コストを削減できる。
【発明を実施するための最良の形態】
【００８３】
以下、本発明を実施するための最良の形態について説明する。
【００８４】
（実施の形態１）
本発明の撮影機能制御装置、撮影機能付き携帯通信端末および撮影機能付き携帯通信端末の制御システムについて説明する。
【００８５】
図１は、撮影機能制御装置のブロック構成図を示す図である。
【００８６】
図１において、１０１は撮影機能制御装置、１１１は撮影機能制御装置全体を制御する制御部、１１２は撮影機能付き携帯通信端末１０２と通信する通信部、１１４は制御プログラムや撮影機能付き携帯通信端末の撮影部を撮影許可する情報を記憶する記憶部である。撮影機能付き携帯通信端末の撮影部を撮影許可する情報は、撮影部を例えば、禁止／許可に制御する。
【００８７】
なお、撮影機能付き携帯通信端末の撮影部を撮影許可する情報は、撮影部を撮影許可する一意のコードで良いが、暗号化処理などを行い容易に偽造できない方が望ましい。
【００８８】
また、撮影機能付き携帯通信端末の撮影部を撮影許可する情報は、記憶部１１４に記憶しても良いが、制御プログラムにより自動的に生成してもよい。
【００８９】
次に撮影機能制御装置１０１の動作について説明する。
【００９０】
撮影機能制御装置１０１は、記憶部１１４に記憶された撮影機能付き携帯通信端末の撮影部を撮影許可する情報を読み込み、通信部１１２より撮影機能付き携帯通信端末１０２に送信する。
【００９１】
図２は、撮影機能付き携帯通信端末のブロック構成図を示す図である。
【００９２】
図２において、１０２は撮影機能付き携帯通信端末、１２１は撮影機能付き携帯通信端末全体を制御する制御部、１２２は撮影機能制御装置１０１と通信する通信部、１２３は操作案内や画像データなどを表示する表示部、１２４は制御プログラムや画像データや撮影許可を要求する情報などを記憶する記憶部、１２５は操作情報などを入力するキー入力部、１２６は画像を撮影する撮影部である。
【００９３】
なお、撮影許可を要求する情報は、撮影許可を要求する一意のコードで良いが、暗号化処理などを行い容易に偽造できない方が望ましい。
【００９４】
また、撮影許可を要求する情報は、記憶部１２４に記憶しても良いが、制御プログラムにより自動的に生成してもよい。
【００９５】
次に撮影機能付き携帯通信端末１０２の動作について説明する。
【００９６】
撮影機能付き携帯通信端末１０２は、記憶部１２４に記憶された撮影許可を要求する情報を読み込み、通信部１２２より撮影機能制御装置１０１に送信し、通信部１２２から撮影機能付き携帯通信端末の撮影部を撮影許可する情報を受信すると、その情報に基づいて、撮影部１２６を例えば、禁止／許可に制御する。
【００９７】
図３は、撮影機能付き携帯通信端末の制御システムのブロック構成図を示す図である。１０１は撮影機能制御装置、１０２は撮影機能付き携帯通信端末、１００は撮影機能付き携帯通信端末の制御システムである。
【００９８】
次に撮影機能付き携帯通信端末の制御システム１００の動作について説明する。
【００９９】
図４は、撮影機能付き携帯通信端末の制御システムの処理フローを示す図である。
【０１００】
撮影機能付き携帯通信端末１０２は、記憶部１２４に記憶された撮影許可を要求する情報を読み込み、通信部１２２より撮影機能制御装置１に送信する（Ｓ１０００）。
【０１０１】
撮影機能制御装置１０１は、通信部１１２から撮影許可を要求する情報を受信する（Ｓ１０１０）。
【０１０２】
撮影機能制御装置１０１は、記憶部１１４に記憶された撮影機能付き携帯通信端末の撮影部を撮影許可する情報を読み込み、通信部１１２より撮影機能付き携帯通信端末１０２に送信する（Ｓ１０２０）。
【０１０３】
撮影機能付き携帯通信端末１０２は、通信部１２２から撮影機能付き携帯通信端末の撮影部を撮影許可する情報を受信する（Ｓ１０３０）。
【０１０４】
撮影機能付き携帯通信端末１０２は、その情報に基づいて撮影部１２６を撮影許可とする（Ｓ１０４０）。
【０１０５】
以上説明したように、本発明の撮影機能制御装置１０１、撮影機能付き携帯通信端末１０２および撮影機能付き携帯通信端末の制御システム１００によれば、撮影機能付き携帯通信端末の撮影部を禁止／許可に制御することができる。
【０１０６】
撮影機能付き携帯通信端末の制御システム１００を盗撮・痴漢行為の懸念される場所に設置することで、使用者のモラルに頼ることなく撮影部を禁止／許可に制御することができる。
【０１０７】
また、撮影機能付き携帯通信端末２の許可要求に応答して、撮影部を禁止／許可に制御するので、一方的な機能制限や不正アクセスと見なされる可能性が低いと思われる。
【０１０８】
（実施の形態２）
本発明の撮影機能制御装置、撮影機能付き携帯通信端末、撮影機能制御装置コントローラおよび撮影機能付き携帯通信端末の制御システムについて説明する。
【０１０９】
図５は、撮影機能制御装置のブロック構成図を示す図である。
【０１１０】
図５において、２０１は撮影機能制御装置、２１１は撮影機能制御装置全体を制御する制御部、２１２は撮影機能付き携帯通信端末２０２と通信する第一の通信部、２１３は撮影機能制御装置コントローラ２０３と通信する第二の通信部、２１４は制御プログラムや撮影機能付き携帯通信端末の撮影部を制御する情報を記憶する記憶部である。
【０１１１】
なお、撮影機能付き携帯通信端末の撮影部を制御する情報は、撮影部を例えば、禁止／許可に制御する一意のコードで良いが、暗号化処理などを行い容易に偽造できない方が望ましい。
【０１１２】
また、撮影機能付き携帯通信端末の撮影部を制御する情報は、記憶部２１４に記憶しても良いが、制御プログラムにより自動的に生成してもよい。
【０１１３】
次に撮影機能制御装置２０１の動作について説明する。
【０１１４】
撮影機能制御装置２０１は、第一の通信部２１２から撮影機能付き携帯通信端末の撮影部を制御したことを示す情報を受信したとき、撮影機能付き携帯通信端末と通信があったことを示す情報を第二の通信部２１３から撮影機能制御装置コントローラ２０３に送信する。
【０１１５】
なお、撮影機能付き携帯通信端末と通信があったことを示す情報は、撮影機能付き携帯通信端末と通信があったことを示す一意のコードで良いが、暗号化処理などを行い容易に偽造できない方が望ましい。
【０１１６】
図６は、撮影機能付き携帯通信端末のブロック構成図を示す図である。
【０１１７】
図６において、２０２は撮影機能付き携帯通信端末、２２１は撮影機能付き携帯通信端末全体を制御する制御部、２２２は撮影機能制御装置２０１と通信する通信部、２２３は操作案内や画像データなどを表示する表示部、２２４は制御プログラムや画像データや撮影機能付き携帯通信端末の撮影部を制御したことを示す情報などを記憶する記憶部、２２５は操作情報などを入力するキー入力部、２２６は画像を撮影する撮影部である。
【０１１８】
なお、撮影機能付き携帯通信端末の撮影部を制御したことを示す情報は、撮影部を制御したことを示す一意のコードで良いが、暗号化処理などを行い容易に偽造できない方が望ましい。
【０１１９】
次に撮影機能付き携帯通信端末２０２の動作について説明する。
【０１２０】
撮影機能付き携帯通信端末２０２は、通信部２２２から撮影機能付き携帯通信端末の撮影部を制御する情報を受信し、受信した情報に基づいて撮影部２２６を制御したとき、撮影機能付き携帯通信端末の撮影部を制御したことを示す情報を通信部２２２から撮影機能制御装置２０１に送信する。
【０１２１】
図７は、撮影機能制御装置コントローラのブロック構成図を示す図である。
【０１２２】
図７において、２０３は撮影機能制御装置コントローラ、２３１は撮影機能制御装置コントローラ全体を制御する制御部、２３２は撮影機能制御装置２０１と通信する通信部、２３３は操作案内や撮影機能付き携帯通信端末の数などを表示する表示部、２３４は制御プログラムなどを記憶する記憶部、２３５は操作情報などを入力するキー入力部である。
【０１２３】
次に撮影機能制御装置コントローラ２０３の動作について説明する。
【０１２４】
撮影機能制御装置コントローラ２０３は、通信部２３２から撮影機能付き携帯通信端末と通信があったことを示す情報を受信したとき、撮影機能制御装置２０１の通信エリアに存在する撮影機能付き携帯通信端末の数をカウントし、表示部２３３に表示する。
【０１２５】
図８は、撮影機能付き携帯通信端末の制御システムのブロック構成図を示す図である。
【０１２６】
図８において、２０１は撮影機能制御装置、２０２は撮影機能付き携帯通信端末、２０３は撮影機能制御装置コントローラ、２００は撮影機能付き携帯通信端末の制御システムである。
【０１２７】
次に撮影機能付き携帯通信端末の制御システム２００の動作について説明する。
【０１２８】
図９は、撮影機能付き携帯通信端末の制御システムの処理フローを示す図である。
【０１２９】
撮影機能制御装置２０１は、記憶部２１４に記憶された撮影機能付き携帯通信端末の撮影部を制御する情報を読み込み、通信部２１２より撮影機能付き携帯通信端末２０２に送信する（Ｓ２０００）。
【０１３０】
撮影機能付き携帯通信端末２０２は、通信部２２２から撮影機能付き携帯通信端末の撮影部を制御する情報を受信する（Ｓ２０１０）。
【０１３１】
撮影機能付き携帯通信端末２０２は、その情報に基づいて撮影部２２６を制御する（Ｓ２０２０）。
【０１３２】
撮影機能付き携帯通信端末２０２は、撮影機能付き携帯通信端末の撮影部を制御したことを示す情報を通信部２２２から撮影機能制御装置２０１に送信する（Ｓ２０３０）。
【０１３３】
撮影機能制御装置２０１は、通信部２２２から撮影機能付き携帯通信端末の撮影部を制御したことを示す情報を受信する（Ｓ２０４０）。
【０１３４】
撮影機能制御装置２０１は、撮影機能付き携帯通信端末と通信があったことを示す情報を第二の通信部２１３から撮影機能制御装置コントローラ２０３に送信する（Ｓ２０５０）。
【０１３５】
撮影機能制御装置コントローラ２０３は、通信部２３２から撮影機能付き携帯通信端末と通信があったことを示す情報を受信する（Ｓ２０６０）。
【０１３６】
撮影機能制御装置コントローラ２０３は、撮影機能制御装置２０１の通信エリアに存在する撮影機能付き携帯通信端末の数をカウントし、表示部２３３に表示する（Ｓ２０７０）。
【０１３７】
以上説明したように、本発明の撮影機能付き携帯通信端末の制御システムによれば、撮影機能制御装置２０１の通信エリアに存在する撮影機能付き携帯通信端末の撮影部を制御したとき、その撮影機能付き携帯通信端末の数をカウントすることができる。
【０１３８】
撮影機能付き携帯通信端末の制御システム２００を盗撮・痴漢行為の懸念される場所に設置することで、使用者のモラルに頼ることなく撮影部を制御することができる。
【０１３９】
さらに、撮影機能制御装置２０１は定期的に撮影機能制御装置２０１の通信エリアに存在する撮影機能付き携帯通信端末と通信することで、撮影機能付き携帯通信端末の数をリアルタイムに更新することも可能である。
【０１４０】
（実施の形態３）
本発明の撮影機能付き携帯通信端末の制御システムについて説明する。
【０１４１】
図１０は、撮影機能制御装置のブロック構成図を示す図である。
【０１４２】
図１０において、３０１は撮影機能制御装置、３１１は撮影機能制御装置全体を制御する制御部、３１２は撮影機能付き携帯通信端末３０２と通信する通信部、３１４は制御プログラムや撮影機能付き携帯通信端末の撮影部を制御する情報を記憶する記憶部、３１５は記憶部３１４に記憶している撮影機能付き携帯通信端末の撮影部を制御する情報のうちいずれを読み込むかを設定する設定部である。設定部３１５として、ディップスイッチを使用し、例えば００ならば禁止、０１ならば許可、１０ならば有償許可とする情報を読み込むと定義する。
【０１４３】
なお、撮影機能付き携帯通信端末の撮影部を制御する情報は、撮影部を例えば、禁止／許可／有償許可に制御する一意のコードで良いが、暗号化処理などを行い容易に偽造できない方が望ましい。
【０１４４】
有償許可とは、決済処理および著作権管理などの手続きを経て、有償で撮影を許可することを示す。
【０１４５】
また、撮影機能付き携帯通信端末の撮影部を制御する情報は、記憶部３１４に記憶しても良いが、制御プログラムにより自動的に生成してもよい。
【０１４６】
次に撮影機能制御装置３０１の動作について説明する。なお、予め設定部３１５には、１０が設定されているものとする。
【０１４７】
撮影機能制御装置３０１は、設定部３１５を確認し１０が設定されているので、記憶部３１４から撮影機能付き携帯通信端末の撮影部を有償許可とする情報を読み込み、通信部３１２より撮影機能付き携帯通信端末３０２に送信する。
【０１４８】
図１１は、撮影機能付き携帯通信端末のブロック構成図を示す図である。
【０１４９】
図１１において、３０２は撮影機能付き携帯通信端末、３２１は撮影機能付き携帯通信端末全体を制御する制御部、３２２は撮影機能制御装置３０１と通信する通信部、３２３は操作案内や画像データなどを表示する表示部、３２４は制御プログラムや画像データなどを記憶する記憶部、３２５は操作情報などを入力するキー入力部、３２６は画像を撮影する撮影部である。
【０１５０】
次に撮影機能付き携帯通信端末３０２の動作について説明する。
【０１５１】
撮影機能付き携帯通信端末３０２は、通信部３２２から撮影機能付き携帯通信端末の撮影部を制御する情報を受信し、受信した情報に基づいて撮影部３２６を制御する。撮影機能付き携帯通信端末の撮影部を有償許可とする情報を受信したときは撮影部３２６を有償許可とする。
【０１５２】
図１２は、撮影機能付き携帯通信端末の制御システムのブロック構成図を示す図である。
【０１５３】
３０１は撮影機能制御装置、３０２は撮影機能付き携帯通信端末、３００は撮影機能付き携帯通信端末の制御システムである。
【０１５４】
次に撮影機能付き携帯通信端末の制御システム３００の動作について説明する。
【０１５５】
図１３は、撮影機能付き携帯通信端末の制御システムの処理フローを示す図であり、撮影機能付き携帯通信端末の撮影部を有償許可とする処理を示す。
【０１５６】
撮影機能制御装置３０１は、設定部３１５を確認し１０が設定されているので、記憶部３１４から撮影機能付き携帯通信端末の撮影部を有償許可とする情報を読み込み、通信部３１２より撮影機能付き携帯通信端末３０２に送信する。（Ｓ３０００）。
【０１５７】
撮影機能付き携帯通信端末３０２は、通信部３２２から撮影機能付き携帯通信端末の撮影部を有償許可とする情報を受信する（Ｓ３０１０）。
【０１５８】
撮影機能付き携帯通信端末３０２は、その情報に基づいて撮影部３２６を有償許可とする（Ｓ３０２０）。
【０１５９】
撮影機能付き携帯通信端末３０２は、通信部３２２から撮影部を有償許可としたことを示す情報を送信する（Ｓ３０３０）。
【０１６０】
撮影機能制御装置３０１は、通信部３１２から撮影部を有償許可としたことを示す情報を受信する。（Ｓ３０４０）。
【０１６１】
なお、本処理フローでは有償許可の場合を説明したが、禁止／許可についても同様の手順で制御できる。
【０１６２】
以上説明したように、本発明の撮影機能付き携帯通信端末の制御システムによれば、撮影機能付き携帯通信端末の撮影部を有償許可とすることができる。
【０１６３】
書店やコンビニエンスストアなどのように、撮影機能付き携帯通信端末を使用して有償情報を撮影して持ち帰るなど著作権侵害となるような使われ方される場所に撮影機能付き携帯通信端末の制御システム３００を設置することで、使用者のモラルに頼ることなく撮影部を有償許可に制御することができる。
【０１６４】
（実施の形態４）
本発明の撮影機能付き携帯通信端末の制御システムについて説明する。
【０１６５】
図１４は、撮影機能制御装置のブロック構成図を示す図である。
【０１６６】
図１４において、４０１は撮影機能制御装置、４１１は撮影機能制御装置全体を制御する制御部、４１２は撮影機能付き携帯通信端末４０２と通信する第一の通信部、４１３はＰＯＳ端末４０３と通信する第二の通信部、４１４は制御プログラムや撮影機能付き携帯通信端末の撮影部の動作状態を確認する情報を記憶する記憶部である。
【０１６７】
なお、撮影機能付き携帯通信端末の撮影部の動作状態を確認する情報は、撮影部の動作状態を確認する一意のコードで良いが、暗号化処理などを行い容易に偽造できない方が望ましい。
【０１６８】
また、撮影機能付き携帯通信端末の撮影部の動作状態を確認する情報は、記憶部４１４に記憶しても良いが、制御プログラムにより自動的に生成してもよい。
【０１６９】
次に撮影機能制御装置４０１の動作について説明する。
【０１７０】
撮影機能制御装置４０１は、第一の通信部４１２から記憶部４１４に記憶された撮影機能付き携帯通信端末の撮影部の動作状態を確認する情報を撮影機能付き携帯通信端末４０２に送信し、第一の通信部４１２から撮影機能付き携帯通信端末の撮影部の動作状態を示す情報を受信し、第二の通信部４１３からＰＯＳ端末４０３に送信する。
【０１７１】
図１５は、撮影機能付き携帯通信端末のブロック構成図を示す図である。
【０１７２】
図１５において、４０２は撮影機能付き携帯通信端末、４２１は撮影機能付き携帯通信端末全体を制御する制御部、４２２は撮影機能制御装置４０１と通信する通信部、４２３は操作案内や画像データなどを表示する表示部、４２４は制御プログラムや画像データなどを記憶する記憶部、４２５は操作情報などを入力するキー入力部、４２６は画像を撮影する撮影部である。
【０１７３】
次に撮影機能付き携帯通信端末４０２の動作について説明する。
【０１７４】
撮影機能付き携帯通信端末４０２は、通信部４２２から撮影機能付き携帯通信端末の撮影部の動作状態を示す情報を受信したとき、撮影部４２６の動作状態を確認し撮影機能付き携帯通信端末の撮影部の動作状態を示す情報を通信部４２２から送信する。
【０１７５】
図１６は、ＰＯＳ端末のブロック構成図を示す図である。
【０１７６】
図１６において、４０３はＰＯＳ端末、４３１はＰＯＳ端末全体を制御する制御部、４３２は撮影機能制御装置４０１と通信する通信部、４３３は操作案内や撮影機能付き携帯通信端末の数などを表示する表示部、４３４は制御プログラムなどを記憶する記憶部、４３５は操作情報などを入力するキー入力部。４３６は現金やクレジットカードなどによる決済処理を行う決済部である。
【０１７７】
次にＰＯＳ端末４０３の動作について説明する。
【０１７８】
ＰＯＳ端末４０３は、通信部４３２から撮影機能付き携帯通信端末の撮影部の動作状態を示す情報を受信したとき撮影機能制御装置４０１の通信エリアに存在する撮影機能付き携帯通信端末の撮影部の動作状態を表示部４３３に表示する。
【０１７９】
図１７は、撮影機能付き携帯通信端末の制御システムのブロック構成図を示す図である。４０１は撮影機能制御装置、４０２は撮影機能付き携帯通信端末、４０３はＰＯＳ端末、４００は撮影機能付き携帯通信端末の制御システムである。
【０１８０】
次に撮影機能付き携帯通信端末の制御システム４００の動作について説明する。
【０１８１】
図１８は、撮影機能付き携帯通信端末の制御システムの処理フローを示す図である。
【０１８２】
撮影機能制御装置４０１は、第一の通信部４１２から記憶部４１４に記憶された撮影機能付き携帯通信端末の撮影部の動作状態を確認する情報を読み込み撮影機能付き携帯通信端末４０２に送信する（Ｓ４０００）。
【０１８３】
撮影機能付き携帯通信端末４０２は、通信部４２２から撮影機能付き携帯通信端末の撮影部の動作状態を確認する情報を受信する（Ｓ４０１０）。
【０１８４】
撮影機能付き携帯通信端末４０２は、撮影部４２６の動作状態を確認する（Ｓ４０２０）。
【０１８５】
撮影機能付き携帯通信端末４０２は、撮影機能付き携帯通信端末の撮影部の動作状態を示す情報を通信部４２２から送信する（Ｓ４０３０）。
【０１８６】
撮影機能制御装置４０１は、第一の通信部４１２から撮影機能付き携帯通信端末の撮影部の動作状態を示す情報を受信する（Ｓ４０４０）。
【０１８７】
撮影機能制御装置４０１は、撮影機能付き携帯通信端末の撮影部の動作状態を示す情報を第二の通信部４１３から送信する（Ｓ４０５０）。
【０１８８】
ＰＯＳ端末４０３は、通信部４３２から撮影機能付き携帯通信端末の撮影部の動作状態を示す情報を受信する（Ｓ４０６０）。
【０１８９】
ＰＯＳ端末４０３は、撮影機能制御装置４０１の通信エリアに存在する撮影機能付き携帯通信端末の撮影部の動作状態を表示部４３３に表示する（Ｓ４０７０）。
【０１９０】
以上説明したように、本発明の撮影機能付き携帯通信端末の制御システムによれば、撮影機能制御装置４０１の通信エリアに存在する撮影機能付き携帯通信端末の撮影部の動作状態をＰＯＳ端末４０３に表示することができる。
【０１９１】
書店やコンビニエンスストアなどのように、撮影機能付き携帯通信端末を使用して有償情報を撮影して持ち帰るなど著作権侵害となるような使われ方される場所に撮影機能付き携帯通信端末の制御システム４００を設置することで、撮影機能制御装置４０１の通信エリアに存在する撮影機能付き携帯通信端末４０２の撮影部４２６の動作状態をＰＯＳ端末４０３に表示することができ、例えば有償許可となっている撮影機能付き携帯通信端末の所有者に対し現金またはクレジットカードなどによる決済処理を要求することができる。
【０１９２】
（実施の形態５）
本発明の印刷物、撮影機能制御装置、撮影機能付き携帯通信端末、有償情報提供サーバおよび撮影機能付き携帯通信端末の制御システムについて説明する。
【０１９３】
撮影機能制御装置３０1は、実施の形態３と同じなので説明を省略する。
【０１９４】
図１９は、印刷物の構成図を示す図である。
【０１９５】
印刷物５０５は、有償で販売される有償情報５５１と有償情報を識別する有償情報識別コードと有償情報５５１に関連する情報を提供する有償情報提供サーバ５０３のＵＲＬ情報を掲載している。有償情報識別コードと有償情報提供サーバ５０３のＵＲＬ情報は、光学情報５５２として掲載している。光学情報５５２は、例えば２次元コードで印刷されている。
【０１９６】
図２０は、撮影機能付き携帯通信端末のブロック構成図を示す図である。
【０１９７】
図２０において、５０２は撮影機能付き携帯通信端末、５２１は撮影機能付き携帯通信端末全体を制御する制御部、５２７は撮影機能制御装置３０１と通信する第一の通信部、５２８は有償情報提供サーバ５０３と通信する第二の通信部、５２３は操作案内や画像データなどを表示する表示部、５２４は制御プログラムや画像データなどを記憶する記憶部、５２５は操作情報などを入力するキー入力部、５２６は画像を撮影する撮影部、５２９は撮影部５２６により撮影された画像から有償情報を識別する有償情報識別コードと有償情報５５１に関連する情報を提供する有償情報提供サーバ５０３のＵＲＬ情報を抽出する抽出部である。
【０１９８】
次に撮影機能付き携帯通信端末５０２の動作について説明する。
【０１９９】
撮影機能付き携帯通信端末５０２は、通信部５２２から撮影機能付き携帯通信端末の撮影部を有償許可とする情報を受信したとき、撮影部５２６を有償許可とする。
【０２００】
撮影機能付き携帯通信端末５０２は、撮影部を有償許可とする情報を受信したとき、撮影部５２６により撮影された画像から有償情報５５１を識別する有償情報識別コードと有償情報５５１に関連する情報を提供する有償情報提供サーバのＵＲＬ情報を抽出し、第二の通信部５２８から有償情報提供サーバ５０３に有償情報識別コードを送信し、有償情報に関連する情報を第二の通信部５２８から受信する。
【０２０１】
なお、有償情報に関連する情報とは、印刷物の出版社や著作権者や有償販売するときの値段などである。
【０２０２】
図２１は、有償情報提供サーバのブロック構成図を示す図である。
【０２０３】
図２１において、５０３は有償情報提供サーバ、５３１は有償情報提供サーバ５０３全体を制御する制御部、５３２は撮影機能付き携帯通信端末と通信する通信部と、５３４は有償情報に関連する情報を有償情報を識別する有償情報識別コードと関連付けて記憶する記憶部、５３５は操作情報などを入力するキー入力部、５３６は有償情報識別コードを検索キーとして前記記憶部に記憶された有償情報に関連する情報を検索する検索部である。
【０２０４】
次に有償情報提供サーバ５０３の動作について説明する。
【０２０５】
有償情報提供サーバ５０３は、通信部５３２より有償情報識別コードを受信し、検索部５３５により有償情報識別コードを検索キーとして記憶部５３４に記憶された有償情報に関連する情報を検索し、通信部５３２より有償情報に関連する情報を送信する。
【０２０６】
図２２は、撮影機能付き携帯通信端末の制御システムのブロック構成図を示す図である。３０１は撮影機能制御装置、５０２は撮影機能付き携帯通信端末、５０５は印刷物、５０４は有償情報提供サーバ、５００は撮影機能付き携帯通信端末の制御システムである。
【０２０７】
次に撮影機能付き携帯通信端末の制御システム５００の動作について説明する。
【０２０８】
図２３は、撮影機能付き携帯通信端末の制御システムの処理フローを示す図である。
【０２０９】
なお、印刷物５０５は、有償で販売される有償情報５５１と有償情報を識別する有償情報識別コードと有償情報５５１に関連する情報を提供する有償情報提供サーバ５０３のＵＲＬ情報を掲載している。また、撮影機能付き携帯通信端末５０２は、撮影機能付き携帯通信端末の撮影部を有償許可とする情報を受信し、撮影部５２６を有償許可とした状態から説明する。
【０２１０】
撮影機能付き携帯通信端末５０２は、撮影部５２６により撮影された画像から有償情報５５１を識別する有償情報識別コード５５２と前記有償情報に関連する情報を提供する有償情報提供サーバのＵＲＬ情報を抽出し、第二の通信部５２８から有償情報提供サーバ５０３に有償情報識別コードを送信する（Ｓ５０００）。
【０２１１】
有償情報提供サーバ５０３は、通信部５３２より有償情報識別コードを受信する（Ｓ５０１０）。
【０２１２】
有償情報提供サーバ５０３は、検索部５３５により有償情報識別コードを検索キーとして有償情報に関連する情報を検索する（Ｓ５０２０）。
【０２１３】
有償情報提供サーバ５０３は、有償情報に関連する情報を検索できたとき、通信部５３２より有償情報に関連する情報を送信する（Ｓ５０３０）。
【０２１４】
撮影機能付き携帯通信端末５０２は、有償情報に関連する情報を第二の通信部から受信する（Ｓ５０４０）。なお、有償情報に関連する情報とは、印刷物の出版社や著作権者や有償販売するときの値段などである。
【０２１５】
以上説明したように、本発明の撮影機能付き携帯通信端末の制御システムによれば、撮影機能付き携帯通信端末５０２の撮影部５２６により撮影した画像が有償情報である場合、有償情報に関連する情報を獲得できる。
【０２１６】
また、上記実施例に実施の形態３のＰＯＳ端末を追加することで、撮影機能制御装置３０１の通信エリアに存在する撮影機能付き携帯通信端末５０２の撮影部５２６の動作状態をＰＯＳ端末に表示することができる。ＰＯＳ端末の操作者は、有償許可となっている撮影機能付き携帯通信端末の所有者に対し現金またはクレジットカードなどによる決済処理を要求することができる。
【０２１７】
さらに、有償情報に関連する情報が有償情報の著作権者と値段である場合、ＰＯＳ端末で支払った料金を著作権者に支払うことができる。
【０２１８】
（実施の形態６）
本発明の印刷物、撮影機能制御装置、撮影機能付き携帯通信端末、記事情報提供サーバおよび撮影機能付き携帯通信端末の制御システムについて説明する。
【０２１９】
撮影機能制御装置３０１は、実施の形態３と同じなので説明を省略する。
【０２２０】
図２４は、印刷物の構成図を示す図である。
【０２２１】
印刷物６０４は、記事情報６４１と記事情報６４１に関連する情報を提供する記事情報提供サーバ６０３のＵＲＬ情報を掲載している。記事情報提供サーバ６０３のＵＲＬ情報は、光学情報６４２として掲載している。光学情報６４２は、例えば２次元コードで印刷されている。
【０２２２】
図２５は、撮影機能付き携帯通信端末のブロック構成図を示す図である。
【０２２３】
図２５において、６０２は撮影機能付き携帯通信端末、６２１は撮影機能付き携帯通信端末全体を制御する制御部、６２７は撮影機能制御装置１と通信する第一の通信部、６２８は記事情報提供サーバ６０３と通信する第二の通信部、６２３は操作案内や画像データなどを表示する表示部、６２４は制御プログラムや画像データなどを記憶する記憶部、６２５は操作情報などを入力するキー入力部、６２６は画像を撮影する撮影部、６２９は撮影部６２６により撮影された光学情報６４２から記事情報に関連する情報を提供する記事情報提供サーバのＵＲＬ情報を抽出する抽出部である。
【０２２４】
次に撮影機能付き携帯通信端末６０２の動作について説明する。
【０２２５】
撮影機能付き携帯通信端末６０２は、通信部６２２から撮影機能付き携帯通信端末の撮影部を撮影許可とする情報を受信したとき、撮影部６２６を撮影許可とする。
【０２２６】
撮影機能付き携帯通信端末６０２は、撮影部を撮影許可とする情報を受信したとき、撮影部６２６により撮影された画像から記事情報６４１に関連する情報を提供する記事情報提供サーバ６０３のＵＲＬ情報を抽出し、第二の通信部６２８から記事情報提供サーバ６０３に撮影部６２６により撮影された画像を送信し、記事情報に関連する情報を第二の通信部６２８から受信する。
【０２２７】
なお、記事情報に関連する情報とは、印刷物の出版社や著作権者や記事販売するときの値段などである。
【０２２８】
図２６は、記事情報提供サーバのブロック構成図を示す図である。
【０２２９】
図２６において、６０３は記事情報提供サーバ、６３１は記事情報提供サーバ６０３全体を制御する制御部、６３４は少なくとも記事情報６４１のテキスト情報を記事情報を識別する記事情報識別コードと関連付けて記憶する第一の記憶部、６３７は記事情報６４１に関連する情報を記事情報６４１を識別する記事情報識別コードと関連付けて記憶する第二の記憶部、６３６は画像からテキスト情報を抽出する抽出部、６３８は抽出部６３６が抽出したテキスト情報を検索キーとして第一の記憶部６３４に記憶された記事情報識別コードを検索する第一の検索部、６３９は第一の検索部６３８が検索した記事情報識別コードを検索キーとして第二の記憶部６３７に記憶された記事情報の関連情報を検索する第二の検索部である。
【０２３０】
次に記事情報提供サーバの動作について説明する。
【０２３１】
記事情報提供サーバ６０３は、通信部６３２から撮影部６２６により撮影された画像を受信し、抽出部６３６により画像からテキスト情報を抽出し、第一の検索部６３８によりテキスト情報を含む記事情報の記事情報識別コードを検索し、第二の検索部６３９により記事情報識別コードに関連付けられた記事情報に関連する情報を検索し、通信部６３２より送信する。
【０２３２】
記事情報提供サーバ６０３は、テキスト情報を抽出する方法として、例えば光学式文字認識（ＯＣＲ）を使用する。
【０２３３】
記事情報提供サーバ６０３は、記事情報の記事情報識別コードを検索する方法として、抽出部６３６が画像から抽出したテキスト情報を検索キーとして入力し、これら検索キーが入力された順番に従い検索する。
【０２３４】
また、記事情報提供サーバ６０３は、これら検索キーの間に予め決められた文字数を設定して検索する。
【０２３５】
光学式文字認識の認識率が低い場合、ひらがな・カタカナや英数字など単純な形状の文字だけが認識できる場合が想定される。しかし、単純な形状の文字は撮影した記事情報以外の記事にも含まれる可能性が高い。従って、単純な形状の文字で検索するだけでは一意に記事情報を検索できない可能性がある。上記に示すように、検索キーが入力された順番に検索することで限られた検索キーを使用して検索する場合でもヒット率を向上させることができる。
【０２３６】
また、記事情報提供サーバ６０３は、これら検索キーの間に予め決められた文字数を設定して検索する。記事情報を撮影するとき、撮影機能付き携帯通信端末は同一ページか見開き２ページに掲載された記事情報を撮影することになる。検索キー間の文字数を制限しない場合、全く関係ないページに掲載されている記事情報を誤って検出することが考えられる。上記に示すように、検索キーの間に予め決められた文字数を設定して検索することで検索のヒット率を向上させることができる。
【０２３７】
なお、これらの検索方法は、記事情報の記事情報識別コードを検索する場合に限らず、広くテキスト情報を検索キーとして検索する場合、例えば特許情報の検索などにも適用可能であることは言うまでもない。
【０２３８】
図２７は、撮影機能付き携帯通信端末の制御システムのブロック構成図を示す図である。６０１は撮影機能制御装置、６０２は撮影機能付き携帯通信端末、６０４は印刷物、６０３は記事情報提供サーバ、６００は撮影機能付き携帯通信端末の制御システムである。
【０２３９】
次に撮影機能付き携帯通信端末の制御システム６００の動作について説明する。
【０２４０】
なお、印刷物６０４は、記事情報６４１と記事情報６４１に関連する情報を提供する記事情報提供サーバのＵＲＬ情報を含む光学情報６４２を掲載している。また、撮影機能付き携帯通信端末６０２は、撮影機能付き携帯通信端末の撮影部を撮影許可とする情報を受信し、撮影部６２６を撮影許可とした状態となっており、既に記事情報６４１を撮影し、さらに光学情報６４２から記事情報６４１に関連する情報を提供する記事情報提供サーバのＵＲＬ情報を抽出完了した時点から説明する。
【０２４１】
図２８は、撮影機能付き携帯通信端末の制御システムの処理フローを示す図である。
【０２４２】
撮影機能付き携帯通信端末６０２は、撮影部６２６により撮影された画像を光学情報６４２に含まれるＵＲＬ情報が示す記事情報提供サーバ６０３に第二の通信部より送信する（Ｓ６０００）。
【０２４３】
記事情報提供サーバ６０３は、通信部６３２から画像を受信する（Ｓ６０１０）。
【０２４４】
記事情報提供サーバ６０３は、抽出部６３６により画像からテキスト情報を抽出する（Ｓ６０２０）。
【０２４５】
記事情報提供サーバ６０３は、第一の検索部６３８によりテキスト情報を含む記事情報の記事情報識別コードを検索する（Ｓ６０３０）。
【０２４６】
記事情報提供サーバ６０３は、第二の検索部６３９により記事情報識別コードに関連付けられた記事情報に関連する情報を検索する（Ｓ６０４０）。
【０２４７】
記事情報提供サーバ６０３は、通信部６３２より記事情報に関連する情報を送信する（Ｓ６０５０）。
【０２４８】
撮影機能付き携帯通信端末６０２は、記事情報に関連する情報を第二の通信部６２８から受信する（Ｓ６０６０）。
【０２４９】
なお、記事情報に関連する情報とは、印刷物の出版社や著作権者や記事販売するときの値段などである。
【０２５０】
以上説明したように、本発明の撮影機能付き携帯通信端末の制御システムによれば、撮影機能付き携帯通信端末の撮影部により撮影した記事情報の画像からテキスト情報を抽出し、撮影した記事情報に関連する情報を獲得できる。
【０２５１】
また、テキスト情報を検索キーとする検索方法において、検索キーの設定方法および検索方法を工夫することで記事情報のヒット率を向上させることができる。
【０２５２】
（実施の形態７）
本発明のモニター調査システムについて説明する。
【０２５３】
図２９は、調査票の構成図を示す図である。
【０２５４】
図２９において、７０４は調査票、７４１は調査情報と調査情報を識別する調査情報識別コードである。
【０２５５】
調査票７０４は、調査情報と調査情報を識別する調査情報識別コードを含む。調査票７０４は、例えば電子メールや印刷物であり、調査情報は例えば「朝食で食べた食品は何ですか？」のような質問形式になっており、調査情報識別コードで識別する。
【０２５６】
図３０は、撮影機能付き携帯通信端末のブロック構成図を示す図である。
【０２５７】
図３０において、である。
【０２５８】
次に撮影機能付き携帯通信端末７０２の動作について説明する。
【０２５９】
なお、撮影機能付き携帯通信端末７０２には、モニター調査サーバ５０３のＵＲＬ情報がすでに設定されており、通信部７２２により通信できるものとする。
【０２６０】
撮影機能付き携帯通信端末７０２は、通信部７２２から調査票７０４を受信し調査情報を表示部７２３に表示する。調査票７０４は、モニター調査サーバ５０３から一方的に送信しても良いし、撮影機能付き携帯通信端末７０２から送信要求を送信して受信しても良い。なお、調査票７０４が印刷物である場合は、郵送などにより配達される。
【０２６１】
撮影機能付き携帯通信端末７０２の操作者は、調査票７０４の調査情報を確認し、その内容に該当すると思われるものを撮影部５２６により撮影する。例えば「朝食で食べた食品は何ですか？」という調査情報の場合は、アンパンとコーヒーの食品表示欄を撮影する。
【０２６２】
撮影機能付き携帯通信端末７０２は、調査情報の調査情報識別コードと撮影部７２３により撮影した画像を関連付けて通信部７２２により送信する。なお、調査票７０４が印刷物である場合は、調査情報識別コードをキー入力部７２５から手入力しても良いし、二次元コードなどの光学情報として印刷しておき撮影部７２３により撮影しデーコードしても良い。
【０２６３】
さらに、１回の受信で複数の調査情報を受信し、操作者が好む調査情報だけを答えるようにしても良い。
【０２６４】
図３１は、モニター調査サーバのブロック構成図を示す図である。
【０２６５】
図３１において、７０３はモニター調査サーバ、７３１はモニター調査サーバ全体を制御する制御部、７３２は撮影機能付き携帯通信端末と通信する通信部と、７３４は調査情報を識別する調査情報識別コードと画像を関連付けて記憶する第一の記憶部と、７３７は調査情報コードと画像を関連付けて記憶する第二の記憶部と、７３５は画像からテキスト情報を抽出する抽出部である。
【０２６６】
次にモニター調査サーバの動作について説明する。
【０２６７】
モニター調査サーバ７０３は、第一の記憶部７３４から調査情報と調査情報識別コードを入力し、通信部７３２より操作者の撮影機能付き携帯通信端末７０２に送信する。モニター調査サーバ７０３は、通信部７３２より調査情報の調査情報識別コードと撮影部７２３により撮影した画像を受信する。モニター調査サーバ７０３は、調査情報コードと画像を関連付けて第二の記憶部７３７に記憶する。モニター調査サーバ７０３は、第二の記憶部７３７に記憶した画像から抽出部７３５によりテキスト情報を抽出する。
【０２６８】
図３２は、モニター調査システムのブロック構成図を示す図である。７０２は撮影機能付き携帯通信端末、７０４は調査票、７０３はモニター調査サーバ、７００はモニター調査システムである。
【０２６９】
次にモニター調査システムの動作について説明する。
【０２７０】
なお、撮影機能付き携帯通信端末７０２とモニター調査サーバ７０３は、通信条件が設定されており通信可能なものとし、調査票７０４は電子メールで送信されるものとして説明する。
【０２７１】
図３３は、モニター調査システムの処理フローを示す図である。
【０２７２】
モニター調査サーバ７０３は、第一の記憶部７３４から調査情報と調査情報識別コードを入力し調査票７０４として、通信部７３２より操作者の撮影機能付き携帯通信端末７０２に送信する（Ｓ７０００）。
【０２７３】
撮影機能付き携帯通信端末７０２は、通信部７２２より調査票７０４を受信する（Ｓ７０１０）。
【０２７４】
撮影機能付き携帯通信端末７０２は、調査票７０４に含まれる調査情報を表示部７２３に表示する（Ｓ７０２０）。
【０２７５】
操作者は、調査情報を確認し、その内容に該当すると思われるものを撮影部７２６により撮影する（Ｓ７０３０）。
【０２７６】
撮影機能付き携帯通信端末７０２は、調査票７０４に含まれる調査情報識別コードと撮影部７２６により撮影した画像を関連付けて通信部７２２よりモニター調査サーバ７０３に送信する（Ｓ７０４０）。
【０２７７】
モニター調査サーバ７０３は、調査情報識別コードと画像を関連付けて受信する（Ｓ７０５０）。
【０２７８】
モニター調査サーバ７０３は、調査情報コードと画像を関連付けて第二の記憶部７３７に記憶する（Ｓ７０６０）。
【０２７９】
モニター調査サーバ７０３は、第二の記憶部７３７から画像を入力し抽出部７３５によりテキスト情報を抽出する（Ｓ７０７０）。
【０２８０】
以上説明したように、本発明のモニター調査システムによれば、撮影機能付き携帯通信端末の撮影部により撮影した画像からテキスト情報を抽出することができる。
【０２８１】
従来は、モニター調査に対する画像を回収するまでは自動化されていたが、分析は人間が画像を見て行っており、分析工数がかかっていた。
【０２８２】
本発明のように画像からテキスト情報を抽出することで単に食品名だけでなく、製造メーカ名や原材料までも自動的に分析できるので分析工数を削減することができる。
【０２８３】
さらに、上記実施の形態にテキスト情報に基づく分類機能を追加すれば、モニター調査における分類作業を大幅に自動化することができ、調査コストを削減できる。
【０２８４】
なお、本実施例では画像の一実施例として食品表示欄を説明したが、調査の目的に応じて調査情報と撮影する対象物を選定することで広く応用可能である。例えば、食品表示欄と製造年月日や賞味期限をセットで撮影して実際に消費者が食べる時期を調査することもできるし、テレビの視聴率調査において新聞に掲載されている番組名を撮影させて調査するような形態をとっても良いし、選挙の出口調査において候補者の名前入りポスターを撮影させて調査するような形態をとっても良い。
【０２８５】
（実施の形態８）
本発明のモニター調査システムについて説明する。
【０２８６】
調査票の構成図は実施の形態７図２９と同じなので説明を省略する。
【０２８７】
調査票７０４は、例えば電子メールや印刷物であり、調査情報は例えばテレビやＷｅｂのホームページや印刷物を対象としたアンケート調査であれば、面白かった記事や面白くない記事や印象に残る広告などを質問する形式になっている。また、カタログショッピングであれば、購買につなげる条件やカタログ構成を見直す条件などを質問する形式になっている。
【０２８８】
図３４は、撮影機能付き携帯通信端末のブロック構成図を示す図である。
【０２８９】
図３４において、８０２は撮影機能付き携帯通信端末、８２１は撮影機能付き携帯通信端末全体を制御する制御部、８２２はモニター調査サーバと通信する通信部、８２３は操作案内や画像などを表示する表示部、８２４は制御プログラムやモニター調査サーバのＵＲＬ情報や画像データなどを記憶する記憶部、８２５は操作情報などを入力するキー入力部、８２６は画像を撮影する撮影部、８２９は撮影部８２６により撮影した画像に評価情報を付与する付与部である。
【０２９０】
なお、評価情報とは、テレビやＷｅｂのホームページや印刷物を対象としたアンケート調査であれば、面白かった記事や面白くない記事や印象に残る広告などの理由であり、カタログショッピングであれば、購買につなげる条件やカタログ構成を見直す条件などである。
【０２９１】
次に撮影機能付き携帯通信端末８０２の動作について説明する。
【０２９２】
なお、撮影機能付き携帯通信端末８０２には、モニター調査サーバ８０３のＵＲＬ情報がすでに設定されており、通信部８２２により通信できるものとする。
【０２９３】
撮影機能付き携帯通信端末８０２は、通信部８２２から調査票７０４を受信し調査情報を表示部８２３に表示する。調査票７０４は、モニター調査サーバ８０３から一方的に送信しても良いし、撮影機能付き携帯通信端末８０２から送信要求を送信して受信しても良い。なお、調査票７０４が印刷物である場合は、郵送などにより配達される。
【０２９４】
撮影機能付き携帯通信端末８０２の操作者は、調査票７０４の調査情報を確認し、その内容に該当すると思われるものを撮影部８２６により撮影する。
【０２９５】
例えばテレビやＷｅｂのホームページや印刷物を対象としたアンケート調査であれば、面白かった記事や面白くない記事や印象に残る広告などを撮影しその理由として「タレントの印象が良い」・「色の構成バランスがよい」などを付与する。また、カタログショッピングであれば、購買につなげる条件として対象商品を撮影し「あと×××円安ければ買う」や「色の構成が×××であれば買う」などを付与する。また、カタログ構成を見直す条件として「つまらない商品」や「つまらない記事」など対象ページを撮影しその理由として「販売時期が遅すぎる」や「ページ間の商品連携が悪い」などを付与する。
【０２９６】
なお、評価情報はメニュー形式で選択する方法でも良いし、キー入力部から直接入力しても良い。
【０２９７】
撮影機能付き携帯通信端末８０２は、調査情報の調査情報識別コードと撮影部２３により撮影した画像と付与部８２９により付与した評価情報を関連付けて通信部８２２により送信する。なお、調査票７０４が印刷物である場合は、調査情報識別コードや評価情報をキー入力８２５から手入力しても良いし、二次元コードなどの光学情報として印刷しておき撮影部８２３により撮影しデーコードしても良い。
【０２９８】
さらに、１回の受信で複数の調査情報を受信し、操作者が好む調査情報だけを答えるようにしても良い。
【０２９９】
図３５は、モニター調査サーバのブロック構成図を示す図である。
【０３００】
図３５において、８０３はモニター調査サーバ、８３１はモニター調査サーバ全体を制御する制御部、８３２は撮影機能付き携帯通信端末と通信する通信部と、８３４は調査情報と前記調査情報を識別する調査情報コードを関連付けて記憶する第一の記憶部と、８３７は調査情報コードと画像を関連付けて記憶する第二の記憶部と、８３８は第二の記憶部８３７に記憶している調査情報コードと画像と評価情報を評価情報毎に分類する分類部である。
【０３０１】
次にモニター調査サーバの動作について説明する。
【０３０２】
モニター調査サーバ８０３は、第一の記憶部８３４から調査情報と調査情報識別コードを入力し、通信部８３２より操作者の撮影機能付き携帯通信端末８０２に送信する。
【０３０３】
その後、モニター調査サーバ８０３は、通信部８３２より調査情報の調査情報識別コードと撮影部８２３により撮影した画像と付与部８２９により付与した評価情報を受信する。モニター調査サーバ８０３は、調査情報コードと画像と評価情報を関連付けて第二の記憶部８３７に記憶する。
【０３０４】
モニター調査サーバ８０３は、分類部８３８により調査情報コードと画像と評価情報を評価情報毎に分類する。例えばテレビやＷｅｂのホームページや印刷物を対象としたアンケート調査であれば、面白かった番組・ホームページ・記事・印象に残る広告などを選んだ理由として「タレントの印象が良い」・「色の構成バランスがよい」というように分類する。面白くない番組・ホームページ・記事を選んだ理由として「タレントが嫌い」・「色の構成バランスが悪い」というように分類する。
【０３０５】
また、カタログショッピングであれば、購買につなげる条件として対象商品を撮影し「あと×××円安ければ買う」や「色の構成が×××であれば買う」などの条件から価格や色といったキーワードを抽出し分類する。カタログ構成を見直す条件として「つまらない商品」や「つまらない記事」などを撮影させ、その理由として「販売時期が遅すぎる」や「ページ間の商品連携が悪い」などから時期やカタログ構成といったキーワードを抽出し分類する。
【０３０６】
図３６は、モニター調査システムのブロック構成図を示す図である。８０２は撮影機能付き携帯通信端末、７０４は調査票、８０３はモニター調査サーバ、８００はモニター調査システムである。
【０３０７】
次にモニター調査システムの動作について説明する。
【０３０８】
なお、撮影機能付き携帯通信端末８０２とモニター調査サーバ８０３は、通信条件が設定されており通信可能なものとし、調査票７０４は電子メールで送信されるものとして説明する。
【０３０９】
図３７は、モニター調査システムの処理フローを示す図である。
【０３１０】
モニター調査サーバ８０３は、第一の記憶部８３４から調査情報と調査情報識別コードを含む調査票７０４を通信部８３２より操作者の撮影機能付き携帯通信端末８０２に送信する（Ｓ８０００）。
【０３１１】
撮影機能付き携帯通信端末８０２は、通信部８２２より調査票７０４を受信する（Ｓ８０１０）。
【０３１２】
撮影機能付き携帯通信端末８０２は、調査票７０４に含まれる調査情報を表示部８２３に表示する（Ｓ８０２０）。
【０３１３】
操作者は、調査情報を確認し、その内容に該当すると思われるものを撮影部８２６により撮影する（Ｓ８０３０）。
【０３１４】
操作者は、付与部８２９により評価情報を入力する（Ｓ８０３１）。
【０３１５】
撮影機能付き携帯通信端末８０２は、調査票７０４に含まれる調査情報識別コードと撮影部８２６により撮影した画像と付与部８２９により入力した評価情報を関連付けて通信部８２２よりモニター調査サーバ８０３に送信する（Ｓ８０４０）。
【０３１６】
モニター調査サーバ８０３は、調査情報識別コードと画像と評価情報を関連付けて受信する（Ｓ８０５０）。
【０３１７】
モニター調査サーバ８０３は、調査情報コードと画像と評価情報を関連付けて第二の記憶部８３７に記憶する（Ｓ８０６０）。
【０３１８】
モニター調査サーバ８０３は、第二の記憶部８３７から調査情報コードと画像と評価情報を入力し評価情報毎に分類する（Ｓ８０７０）。
【０３１９】
以上説明したように、本発明のモニター調査システムによれば、調査情報コードと撮影機能付き携帯通信端末の撮影部により撮影した画像と評価情報を評価情報毎に分類することができる。
【０３２０】
従来は、モニター調査に対する画像を回収するまでは自動化されていたが、評価情報による分類は人間が行っており、分析工数がかかっていた。
【０３２１】
本発明のように画像から調査情報コードと画像と評価情報を評価情報毎に分類することで分析工数を削減することができる。
【０３２２】
なお、本実施例ではモニター調査の一実施例としてテレビやＷｅｂのホームページや印刷物の評価やカタログショッピングを説明したが、その他の分野においても使用可能であることは言うまでもない。
【産業上の利用可能性】
【０３２３】
本発明の撮影機能付き携帯通信端末の制御システムは、撮影機能付き携帯通信端末の撮影機能を使い方に対応して、禁止／許可を制御できるので、撮影機能付き携帯通信端末を制御するシステム等として産業上有用である。
【０３２４】
また、本発明のモニター調査システムは、従来人間が行っていた分析作業を自動化でき、調査コストを低減させることができるので産業上有用である。
【図面の簡単な説明】
【０３２５】
【図１】本発明の撮影機能制御装置のブロック構成図を示す図
【図２】本発明の撮影機能付き携帯通信端末のブロック構成図を示す図
【図３】本発明の撮影機能付き携帯通信端末の制御システムのブロック構成図を示す図
【図４】本発明の撮影機能付き携帯通信端末の制御システムの処理フローを示す図
【図５】本発明の撮影機能制御装置のブロック構成図を示す図
【図６】本発明の撮影機能付き携帯通信端末のブロック構成図を示す図
【図７】本発明の撮影機能制御装置コントローラのブロック構成図を示す図
【図８】本発明の撮影機能付き携帯通信端末の制御システムのブロック構成図を示す図
【図９】本発明の撮影機能付き携帯通信端末の制御システムの処理フローを示す図
【図１０】本発明の撮影機能制御装置のブロック構成図を示す図
【図１１】本発明の撮影機能付き携帯通信端末のブロック構成図を示す図
【図１２】本発明の撮影機能付き携帯通信端末の制御システムのブロック構成図を示す図
【図１３】本発明の撮影機能付き携帯通信端末の制御システムの処理フローを示す図
【図１４】本発明の撮影機能制御装置のブロック構成図を示す図
【図１５】本発明の撮影機能付き携帯通信端末のブロック構成図を示す図
【図１６】本発明のＰＯＳ端末のブロック構成図を示す図
【図１７】本発明の撮影機能付き携帯通信端末の制御システムのブロック構成図を示す図
【図１８】本発明の撮影機能付き携帯通信端末の制御システムの処理フローを示す図
【図１９】本発明の印刷物の構成図を示す図
【図２０】本発明の撮影機能付き携帯通信端末のブロック構成図を示す図
【図２１】本発明の有償情報提供サーバのブロック構成図を示す図
【図２２】本発明の撮影機能付き携帯通信端末の制御システムのブロック構成図を示す図
【図２３】本発明の撮影機能付き携帯通信端末の制御システムの処理フローを示す図
【図２４】本発明の印刷物の構成図を示す図
【図２５】本発明の撮影機能付き携帯通信端末のブロック構成図を示す図
【図２６】本発明の記事情報提供サーバのブロック構成図を示す図
【図２７】本発明の撮影機能付き携帯通信端末の制御システムのブロック構成図を示す図
【図２８】本発明の撮影機能付き携帯通信端末の制御システムの処理フローを示す図
【図２９】本発明の調査票の構成図を示す図
【図３０】本発明の撮影機能付き携帯通信端末のブロック構成図を示す図
【図３１】本発明のモニター調査サーバのブロック構成図を示す図
【図３２】本発明のモニター調査システムのブロック構成図を示す図
【図３３】本発明のモニター調査システムの処理フローを示す図
【図３４】本発明の撮影機能付き携帯通信端末のブロック構成図を示す図
【図３５】本発明のモニター調査サーバのブロック構成図を示す図
【図３６】本発明のモニター調査システムのブロック構成図を示す図
【図３７】本発明のモニター調査システムの処理フローを示す図
【符号の説明】
【０３２６】
１００  実施の形態１における撮影機能付き携帯通信端末の制御システム
１０１  実施の形態１における撮影機能制御装置
１１１  実施の形態１における撮影機能制御装置の制御部
１１２  実施の形態１における撮影機能制御装置の通信部
１１４  実施の形態１における撮影機能制御装置の記憶部
１０２  実施の形態１における撮影機能付き携帯通信端末
１２１  実施の形態１における撮影機能付き携帯通信端末の制御部
１２２  実施の形態１における撮影機能付き携帯通信端末の通信部
１２３  実施の形態１における撮影機能付き携帯通信端末の表示部
１２４  実施の形態１における撮影機能付き携帯通信端末の記憶部
１２５  実施の形態１における撮影機能付き携帯通信端末のキー入力部
１２６  実施の形態１における撮影機能付き携帯通信端末の撮影部
【図１】
2005260310.tif 000003
【図２】
2005260310.tif 000004
【図３】
2005260310.tif 000005
【図４】
2005260310.tif 000006
【図５】
2005260310.tif 000007
【図６】
2005260310.tif 000008
【図７】
2005260310.tif 000009
【図８】
2005260310.tif 000010
【図９】
2005260310.tif 000011
【図１０】
2005260310.tif 000012
【図１１】
2005260310.tif 000013
【図１２】
2005260310.tif 000014
【図１３】
2005260310.tif 000015
【図１４】
2005260310.tif 000016
【図１５】
2005260310.tif 000017
【図１６】
2005260310.tif 000018
【図１７】
2005260310.tif 000019
【図１８】
2005260310.tif 000020
【図１９】
2005260310.tif 000021
【図２０】
2005260310.tif 000022
【図２１】
2005260310.tif 000023
【図２２】
2005260310.tif 000024
【図２３】
2005260310.tif 000025
【図２４】
2005260310.tif 000026
【図２５】
2005260310.tif 000027
【図２６】
2005260310.tif 000028
【図２７】
2005260310.tif 000029
【図２８】
2005260310.tif 000030
【図２９】
2005260310.tif 000031
【図３０】
2005260310.tif 000032
【図３１】
2005260310.tif 000033
【図３２】
2005260310.tif 000034
【図３３】
2005260310.tif 000035
【図３４】
2005260310.tif 000036
【図３５】
2005260310.tif 000037
【図３６】
2005260310.tif 000038
【図３７】
2005260310.tif 000039